(57)【要約】      （修正有）【課題】熱水殺菌運転ができる個人透析用の人工透析用水製造装置の提供。【解決手段】原水供給ライン１０、ラインヒータ２、加温原水ライン１１、活性炭吸着装置３、前処理水ライン１２、ＲＯ膜装置４、ＲＯ水ライン１３、ＲＯ水タンク５、人工透析用水ライン１４および循環用ライン１７からなる循環ラインを有しており、循環ライン内に熱水を循環させて熱水殺菌できる。【選択図】図１
2019136327.tif 000002
【特許請求の範囲】
【請求項１】
原水源、ラインヒータ、活性炭吸着装置、ＲＯ膜装置およびＲＯ膜装置により処理された処理水（ＲＯ水）を貯水するためのタンク（ＲＯ水タンク）を有しており、前記ＲＯ水タンクが加熱装置を備えているものであり、
前記原水源と前記ラインヒータが原水供給ラインで接続され、
前記ラインヒータと前記活性炭吸着装置が加温原水ラインで接続され、
前記活性炭吸着装置と前記ＲＯ膜装置がＲＯ膜装置用の加圧ポンプが配置された前処理水ラインで接続され、
ＲＯ膜装置とＲＯ水タンクがＲＯ水ラインで接続され、
ＲＯ水タンクと個人透析用の透析用水の採取部が人工透析用水ラインで接続されており、
さらに前記人工透析用水ラインと前記原水供給ラインが循環用ラインで接続されており、
前記ＲＯ水タンク、前記人工透析用水ライン、前記循環用ライン、前記原水供給ライン、前記ラインヒータ、前記加温原水ライン、前記活性炭吸着装置、前記前処理水ライン、前記ＲＯ膜装置、前記ＲＯ水ラインおよび前記ＲＯ水タンクからなる第１熱水殺菌用循環ラインが形成されている、個人透析用の人工透析用水製造装置。
【請求項２】
前記ＲＯ膜装置の濃縮水出口に濃縮水ラインが接続され、前記濃縮水ラインが濃縮水返送ラインと濃縮水排水ラインに分岐され、さらに前記濃縮水返送ラインが前記原水供給ラインに接続されており、
前記ＲＯ膜装置、前記濃縮水ライン、前記濃縮水返送ライン、前記原水供給ライン、前記ラインヒータ、前記加温原水ライン、前記活性炭吸着装置、前記前処理水ラインおよび前記ＲＯ膜装置からなる第２熱水殺菌用循環ラインが形成されている、請求項１記載の個人透析用の人工透析用水製造装置。
【請求項３】
前記加熱装置を備えたＲＯ水タンクが、前記加熱装置により内部のＲＯ水を６０℃以上の熱水にできるものである、請求項１または２記載の個人透析用の人工透析用水製造装置。
【請求項４】
原水源が水道の蛇口である、請求項１〜３のいずれか１項記載の個人透析用の人工透析用水製造装置。
【請求項５】
請求項１記載の個人透析用の人工透析用水製造装置のろ過運転方法であって、
ろ過運転の停止時に第１熱水殺菌用循環ラインを使用して熱水殺菌運転するとき、
ＲＯ水タンクの加熱装置を作動してＲＯ水を加熱しながら、第１熱水殺菌用循環ラインに熱水を循環させて熱水殺菌した後、第１熱水殺菌用循環ラインに原水を循環させて冷却する、ろ過運転方法。
【請求項６】
請求項２記載の個人透析用の人工透析用水製造装置のろ過運転方法であって、
ろ過運転の停止時に第１熱水殺菌用循環ラインおよび第１熱水殺菌用循環ラインを使用して熱水殺菌運転するとき、
ＲＯ水タンクの加熱装置を作動してＲＯ水を加熱しながら、第１熱水殺菌用循環ラインに熱水を循環させて熱水殺菌する工程と、
第２熱水殺菌用循環ラインに熱水を循環させて熱水殺菌する工程を有しており、
前記熱水殺菌終了後に第１熱水殺菌用循環ラインと第２熱水殺菌用循環ラインに原水を循環させて冷却する、ろ過運転方法。
【発明の詳細な説明】
【技術分野】
【０００１】
本発明は、医療施設での個別透析治療および在宅で慢性腎不全患者が使用することができる、一人または二人用として好適な個人透析用の人工透析用水製造装置と、前記個人透析用の人工透析用水製造装置を使用したろ過運転方法に関する。
【背景技術】
【０００２】
従来、電解水製造装置と逆浸透膜装置（ＲＯ装置）を組み合わせた透析用水および透析液の製造装置が知られている（特許文献１）。
これらは医療施設において、多人数の患者の治療に対応するための装置であることから、高い製造能力を有しているものであり、電解水製造装置への原水（水道水）供給量は５００Ｌ／ｈｒを超える量となる。そのため、特許文献１の人工透析用水製造装置では、４台の電解水製造装置を用いた水素含有透析用水の製造例が示されている。
また、特許文献２に示されるように、従来の電解水製造装置は電解効率を高めるために、供給水の電気伝導度を１００μＳ／ｃｍ以上とするようにイオン分を加えて所望する溶存水素濃度を達成しているため、使用する原水に制限を受けるものであった。
【０００３】
医療施設における個別透析や家庭での透析治療においては、大型装置は必要ではなく、小型の装置であることが望まれる。
また、地域によってはイオン分の少ない低電導度の水道水等を原水として使用する場合もあるため、低電導度の原水でも十分な治療効果をもたらす溶存水素濃度が得られるような電解効率の高い電解水製造装置を使用した個人透析用の人工透析用水製造装置が知られている（特許文献３）。
【先行技術文献】
【特許文献】
【０００４】
【特許文献１】特許第４３７７１０４号公報
【特許文献２】特許第４８０５４５５号公報
【特許文献３】特許第６０１７９１１号公報
【発明の概要】
【発明が解決しようとする課題】
【０００５】
本発明は、熱水による循環殺菌ができる個人透析用の人工透析用水製造装置と、前記個人透析用の人工透析用水製造装置を使用したろ過運転方法を提供することを課題とする。
【課題を解決するための手段】
【０００６】
本発明は、原水源、ラインヒータ、活性炭吸着装置、ＲＯ膜装置およびＲＯ膜装置により処理された処理水（ＲＯ水）を貯水するためのタンク（ＲＯ水タンク）を有しており、前記ＲＯ水タンクが加熱装置を備えているものであり、
前記原水源と前記ラインヒータが原水供給ラインで接続され、
前記ラインヒータと前記活性炭吸着装置が加温原水ラインで接続され、
前記活性炭吸着装置と前記ＲＯ膜装置がＲＯ膜装置用の加圧ポンプが配置された前処理水ラインで接続され、
ＲＯ膜装置とＲＯ水タンクがＲＯ水ラインで接続され、
ＲＯ水タンクと個人透析用の透析用水の採取部が人工透析用水ラインで接続されており、
さらに前記人工透析用水ラインと前記原水供給ラインが循環用ラインで接続されており、
前記ＲＯ水タンク、前記人工透析用水ライン、前記循環用ライン、前記原水供給ライン、前記ラインヒータ、前記加温原水ライン、前記活性炭吸着装置、前記前処理水ライン、前記ＲＯ膜装置、前記ＲＯ水ラインおよび前記ＲＯ水タンクからなる熱水殺菌用循環ラインを形成できる、個人透析用の人工透析用水製造装置と、前記個人透析用の人工透析用水製造装置を使用したろ過運転方法を提供する。
【発明の効果】
【０００７】
本発明の個人透析用の人工透析用水製造装置は、熱水殺菌運転ができるため、前記装置内を生菌が存在しない状態に維持したままで人工透析用水を製造することができる。
【図面の簡単な説明】
【０００８】
【図１】本発明の個人透析用の人工透析用水製造装置の概略図（処理フロー図）。
【発明を実施するための形態】
【０００９】
＜個人透析用の人工透析用水製造装置＞
図１により説明する。
原水源１は、原水となる水道水または地下水の供給源である。
原水源１は、原水を貯水した原水タンクを使用することができるが、原水が水道水であれば水道の蛇口を原水源１とすることもできる。原水源１が地下水であるときや原水タンクを使用するときは、原水供給ポンプを配置することができる。
【００１０】
ラインヒータ２は、原水を人の体温程度に加温するためのものである。本発明の装置は人工透析用水を製造するためのものであるため、人工透析用水は人の体温程度であることが好ましい。
原水源１とラインヒータ２は、原水供給ライン１０で接続されている。
【００１１】
活性炭吸着装置３は、原水中の不純物を吸着保持するためのものであり、特に原水が水道水の場合には塩素イオンを吸着保持するためのものである。
ラインヒータ２と活性炭吸着装置３は、加温原水ライン１１で接続されている。
【００１２】
ＲＯ膜装置（逆浸透膜装置）４は、熱水殺菌によって劣化が発生することのないＲＯ膜が組み込まれたものを用いることができる。
活性炭吸着装置３とＲＯ膜装置４は、ＲＯ膜装置４用の加圧ポンプ３０が配置された前処理水ライン１２で接続されている。
【００１３】
ＲＯ膜装置４により処理された処理水（ＲＯ水）を貯水するためのタンク（ＲＯ水タンク）５は、ラインが太くなった形状のもので、加熱装置を備えているものである。
加熱装置は、公知のラインヒータ、ＩＨヒータなどを使用することができる。
ＲＯ水タンク５の容量は５〜８Ｌが好ましい。
ＲＯ膜装置４とＲＯ水タンク５は、ＲＯ水ライン１３で接続されており、ＲＯ水タンク５には、ＲＯ水タンク５内の水を排水するための排水ライン１９が接続されている。
ＲＯ膜装置４の濃縮水出口は、濃縮水ライン１５、開閉弁２１が配置された濃縮水返送ライン１６ａを介して原水供給ライン１０に接続されている。
またＲＯ膜装置４の濃縮水出口は、濃縮水ライン１５を介して開閉弁２６が配置された濃縮水排水ライン１６ｂに接続されている。
【００１４】
ＲＯ水タンク５と個人透析用の人工透析用水の採取部（透析液製造装置を含む個人用透析装置）６の間が人工透析用水ライン１４で接続されている。人工透析用水ライン１４には、図示するように循環用ポンプ３１が配置されていてもよい。
各ラインには、開閉弁（電磁弁）２０〜２６（２４は空気抜き弁）が配置されており、図示しているものの他にも開閉弁を配置することができる。
また各ラインには、必要に応じて、流量計、圧力計、温度計などの測定機器を配置することができる。
【００１５】
さらに人工透析用水ライン１４と原水供給ライン１０は、循環用ライン１７で接続されている。
ＲＯ水タンク５、人工透析用水ライン１４、循環用ライン１７、原水供給ライン１０、ラインヒータ２、加温原水ライン１１、活性炭吸着装置３、前処理水ライン１２、ＲＯ膜装置４、ＲＯ水ライン１３およびＲＯ水タンク５からなる連続したラインは、開閉弁を開閉操作することで密閉系の第１熱水殺菌用循環ラインとして使用する。
またＲＯ膜装置４、濃縮水ライン１５、濃縮水返送ライン１６ａ、原水供給ライン１０、ラインヒータ２、加温原水ライン１１、活性炭吸着装置３、前処理水ライン１２およびＲＯ膜装置４からなる連続したラインは、開閉弁を開閉操作することで密閉系の第２熱水殺菌用循環ラインとして使用する。
【００１６】
＜個人透析用の人工透析用水製造装置の運転方法＞
原水供給源（水道の蛇口）１から原水供給ライン１０を経てラインヒータ２に原水を供給し、ラインヒータ２において原水を加温する。
加温後の原水の温度は人の体温程度でよいが、その後の処理中における温度低下を考慮して、４０℃前後まで加温することもできる。
【００１７】
ラインヒータ２において加温された原水は、加温原水ライン１１を経て活性炭吸着装置３に送られ、活性炭吸着装置３において原水（水道水）中の塩素イオンなどを吸着除去する。
【００１８】
活性炭吸着装置３で塩素イオンなどが吸着除去された前処理水は、加圧ポンプ３０により加圧した状態で前処理水ライン１２を経てＲＯ膜装置４に送り、ＲＯ水を得る。
【００１９】
ＲＯ膜装置４により得られたＲＯ水（人工透析用水）は、ＲＯ水ライン１３、ＲＯ水タンク５および人工透析用水ライン１４を経て採取部（透析液製造装置を含む個人用透析装置）６において採取し、利用する。
【００２０】
ＲＯ膜装置４の膜分離により生じた濃縮水は、開閉弁２６を開けて、濃縮水ライン１５および濃縮水排水ライン１６ｂから排水する。
【００２１】
このようなろ過運転方法により人工透析用水を製造して個人透析用の人工透析用水として利用するが、個人透析による人工透析は、多人数透析と比べると使用頻度が低く、ＲＯ膜装置の停止期間が長くなり、外部からの菌汚染を生じる可能性がある。
このため本発明の人工透析用水製造装置を使用したろ過運転では、一定時間人工透析用水を供給するためのろ過運転を継続した後、人工透析用水を供給しない間、循環ラインを使用して熱水殺菌することができる。
【００２２】
人工透析用水を製造するためのろ過運転の停止時において、ろ過水タンク５内をほぼ満水状態に維持する。
その後、開閉弁２０、開閉弁２１、開閉弁２２、開閉弁２５、開閉弁２６は閉じ、開閉弁２３、開閉弁（空気抜き弁）２４は開けた状態にする。
この状態でＲＯ水タンク５が備えた加熱装置を作動させてＲＯ水を加温しながら循環ポンプ３１を作動させて、ＲＯ水タンク５、人工透析用水ライン１４、循環用ライン１７、原水供給ライン１０、ラインヒータ２、加温原水ライン１１、活性炭吸着装置３、前処理水ライン１２、ＲＯ膜装置４、ＲＯ水ライン１３、ＲＯ水タンク５に戻る循環ライン（第１熱水殺菌用循環ライン）内に加熱されたＲＯ水を循環させる。
第１熱水殺菌用循環ラインを使用した殺菌運転をするときは、ＲＯ膜装置４を作動させる。
ＲＯ水タンク５内のＲＯ水は、加熱しながら徐々に温度を上げていき、最終的には水温６５〜８５℃に加熱した状態で３０〜１００分間程度循環させることが好ましい。
熱水殺菌終了後、ろ過水タンク５内の熱水は、開閉弁２５を開けて排水ライン１９から排水する。
また熱水殺菌終了後、原水を流すことで第１熱水殺菌用循環ラインを冷却することが好ましい。冷却水は、開閉弁２５を開けて排水ライン１９から排水する。
【００２３】
第１熱水殺菌用循環ラインを使用した熱水殺菌運転と併行して、第２熱水殺菌用循環ラインを使用した熱水殺菌運転を実施することが好ましい。
開閉弁２０、開閉弁２２、開閉弁２５、開閉弁２６は閉じ、開閉弁２１、開閉弁２３、開閉弁（空気抜き弁）２４は開けた状態にする。
この状態でＲＯ水タンク５が備えた加熱装置を作動させてＲＯ水を加温しながら循環ポンプ３１および加圧ポンプ３０を作動させて、ＲＯ膜装置４、濃縮水ライン１５、濃縮水返送ライン１６ａ、原水供給ライン１０、ラインヒータ２、加温原水ライン１１、活性炭吸着装置３、前処理水ライン１２およびＲＯ膜装置４からなる循環ライン（第２熱水殺菌用循環ライン）内に加熱されたＲＯ水を循環させる。
熱水殺菌終了後、加熱されたＲＯ水に代えて原水を供給し、開閉弁２６を開けて濃縮水を濃縮水排水ライン１６ｂから排水しながら第２熱水殺菌用循環ラインを冷却する。ろ過水は、ろ過水タンク５に貯水する。
【００２４】
その後、ＲＯ水（人工透析用水）の製造を再開するが、人工透析用水の採取までの間は、ＲＯ水タンク５にＲＯ水（人工透析用水）を満たしたあと、上記した循環ラインを使用した循環運転を継続することもできる。ＲＯ水を使用した循環運転を実施したときは、ＲＯ水の採水前に循環水を排水ライン１９から排水する。
またＲＯ水（人工透析用水）の製造運転再開後の一定時間に製造されたＲＯ水は、排水ライン１９から排水することもできる。
【実施例】
【００２５】
実施例１
図１に示す個人透析用の人工透析用水製造装置を使用して、通常運転と熱水殺菌運転を実施した。
【００２６】
原水供給源として、０．１〜０．２ＭＰaの水道水を使用した。減圧弁を使用して、０．０５ＭＰaで原水供給ライン１０に供給し、ラインヒータ２と活性炭吸着装置３を経て、ＲＯ膜装置４に供給した。ラインヒータ２では約４０℃に加温した。
ＲＯ膜装置４は、ＲＯ膜として外径２インチの耐熱性ＲＯ膜が組み込まれたもの（ダイセン・メンブレン・システムズ株式会社製）を使用し、加圧ポンプ３０を運転して１．０ＭＰaの圧力をかけて７００ml／minの流量でＲＯ水を製造した。ＲＯ濃縮水は、排水ライン１６ｂから排出した。
ＲＯ水はＲＯ水ライン１３からＲＯ水タンク５（容量６Ｌ）に下部から供給され、人工透析用水ライン１４を通って人工透析用水の採取部６に送った。余分なＲＯ水（必要量が５００ml/minであれば２００ml/min）は、開閉弁２３を通して原水側に戻し、再び処理した。
【００２７】
（熱水殺菌）
ＲＯ水タンク５の加熱装置（ラインヒータ）を作動してＲＯ水を加熱しながら、個人透析用の人工透析用水製造装置の循環運転（第１熱水殺菌用循環ラインと第２熱水殺菌用循環ラインの両方の循環運転）を行った。ラインの温度が８０℃に達した後は８０℃を維持しながら３０分運転を継続した。
その後、新たに原水を供給しつつ、ＲＯ濃縮水を排水ライン１６ｂから排出しながら第１熱水殺菌用循環ラインと第２熱水殺菌用循環ラインの両方のラインの温度を徐々に下げていき、両方のラインの温度が室温程度になった時点で熱水殺菌を終了した。
【産業上の利用可能性】
【００２８】
本発明の個人透析用の人工透析用水製造装置は、医療施設における個別透析治療や家庭での透析治療に利用することができる。
【符号の説明】
【００２９】
１  原水供給源
２  ラインヒータ
３  活性炭吸着装置
４  ＲＯ膜（逆浸透膜）装置
５  ＲＯ水タンク
６  人工透析用水の採取部（透析液製造装置を含む個人用透析装置）
１０  原水供給ライン
１１  加温原水ライン
１２  前処理水ライン
１３  ＲＯ水ライン
１４  人工透析用水ライン
１５  濃縮水返送ライン
１７  循環用ライン
１８  空気抜きライン
１９  排水ライン
【図１】
2019136327.tif 000003